(57)【要約】【課題】集塵フィルタを分離することなく集塵フィルタの表面に付いたホコリを簡便で速かに除去できるようにした空気清浄機を提供すること。【解決手段】本発明の空気清浄機は、集塵フィルタと隣接して配置された振動部材と、振動部材に設置された振動モーターアセンブリと、を備える。集塵フィルタは、下端部に比べて上端部がハウジングの前面に偏るように傾斜して配置される。集塵フィルタの下部には振動部材の振動により集塵フィルタが振動される際に集塵フィルタから落ちるホコリを受けるトレイが配置される。トレイの後面板は、集塵フィルタの下端部に向かって延在し、トレイに集まっているホコリが飛散して再び集塵フィルタに付着するのを防止する。集塵フィルタの少なくとも一つの表面は、静電気力が発生しないようにコーティング処理され、ホコリの除去を容易にする。【選択図】図３
2007007637.tif 000002
【特許請求の範囲】
【請求項１】
集塵フィルタと、
前記集塵フィルタに隣接して配置され、振動時にその振動を前記集塵フィルタに伝達する振動部材と、
前記振動部材に装着され、該振動部材を振動させて前記集塵フィルタについているホコリを除去するように構成された振動モーターアセンブリと、
を備えたハウジングで構成されることを特徴とする空気清浄機。
【請求項２】
前記集塵フィルタは、前記ハウジング内においてその上端が下端に比べて前記ハウジングの前面に近接するように鉛直から所定角度傾斜して設置されることを特徴とする、請求項１に記載の空気清浄機。
【請求項３】
前記集塵フィルタは、前記ハウジング内に約１０〜４５°の傾斜角度で設置されることを特徴とする、請求項２に記載の空気清浄機。
【請求項４】
前記ハウジングは、前記集塵フィルタの下部に隣接して配置され、前記振動部材の振動により前記集塵フィルタが震える際に該集塵フィルタから落ちるホコリを受けるトレイをさらに備えることを特徴とする、請求項２に記載の空気清浄機。
【請求項５】
前記トレイは、前記集塵フィルタの下端部に向かって延在し、該トレイに集まるホコリが飛散して再び集塵フィルタに付着するのを防止する後面板を有することを特徴とする、請求項４に記載の空気清浄機。
【請求項６】
前記集塵フィルタの表面は、静電気力が発生しないようにコーティング処理されることを特徴とする、請求項１に記載の空気清浄機。
【請求項７】
前記集塵フィルタの表面は、テフロン（登録商標）粉末でコーティングされることを特徴とする、請求項６に記載の空気清浄機。
【請求項８】
前記集塵フィルタの表面は、金属粉末でコーティングされることを特徴とする、請求項６に記載の空気清浄機。
【請求項９】
前記ハウジングは、前記集塵フィルタの後方において前記ハウジングの後部に配置され、該ハウジング内に空気を送風させるモーター駆動送風ファンをさらに備えることを特徴とする、請求項１に記載の空気清浄機。
【請求項１０】
前記ハウジングは、前記集塵フィルタと前記送風ファンの間に取り外し可能に設置され、前記空気清浄機により浄化された空気の脱臭を行う脱臭フィルタをさらに備えることを特徴とする、請求項９に記載の空気清浄機。
【請求項１１】
前記ハウジングは、
前記ハウジングの外側面に形成され、前記集塵フィルタが挿入または取り外されるようにする第１スロットと、
前記外側面に形成され、前記脱臭フィルタが挿入または取り外されるようにする第２スロットと、
をさらに備えることを特徴とする、請求項１０に記載の空気清浄機。
【請求項１２】
前記集塵フィルタは、
直方形のフレームと、
前記フレームに取り外し可能に結合され、多孔質の材料からなってホコリを捕集するフィルタ部と、
で構成されることを特徴とする、請求項１に記載の空気清浄機。
【請求項１３】
前記フィルタ部の少なくとも一表面は、静電気力が生じないようにコーティングされることを特徴とする、請求項１２に記載の空気清浄機。
【請求項１４】
外側面に第１スロットが形成されたハウジングと、
前記第１スロットを通じてハウジングに挿入または取り外されるように構成され、前記ハウジングへの挿入時に、該ハウジング内において上端が下端に比べて前記ハウジングの前面に近接するように鉛直から所定角度傾斜して配置される集塵フィルタと、
前記集塵フィルタが前記ハウジングに挿入されたときに該集塵フィルタと隣接するように前記ハウジング内に配置され、振動により前記集塵フィルタについているホコリを除去するように構成された振動ユニットと、
を備えてなることを特徴とする空気清浄機。
【請求項１５】
前記ハウジングは、前記外側面に第２スロットを有し、
前記空気清浄機は、前記第２スロットを通じて前記ハウジングに挿入または取り外されるように構成され、前記ハウジングに挿入された状態で前記空気清浄機が作動すると、該ハウジング内で前記集塵フィルタによりろ過された空気の脱臭を行うように構成された脱臭フィルタをさらに備えることを特徴とする、請求項１４に記載の空気清浄機。
【発明の詳細な説明】
【技術分野】
【０００１】
本発明は、空気清浄機に係り、より詳細には、集塵フィルタに捕集されたホコリを簡便で速かに自動で除去できるように構成された空気清浄機に関する。
【背景技術】
【０００２】
一般に、空気清浄機は、ハウジングの内部に、空気を浄化するためのフィルタと空気を強制送風するための送風ファンとが設置された構造を有し、送風ファンが作動すると、空気がフィルタを通過しながらホコリ、臭い、細菌などが除去された状態で再び室内空間に排出されるようにし、室内空間を快適に維持する。
【０００３】
かかる空気清浄機は、室内空間の適正な位置に設置可能なようにコンパクトな構造とする一方で、空気浄化能力を高めるように集塵性能、脱臭性能、及び／又は殺菌性能を有する多種多様なフィルタを備える必要がある。
【０００４】
集塵フィルタは、空気中のホコリまたは異物を除去するために使われるもので、数多くの微細孔が形成された材料から作られる。これら微細孔を通って空気が流動すると、空気中のホコリ粒子や異物は集塵フィルタの表面に捕集され、これにより空気が清浄に浄化される。
【０００５】
このような集塵フィルタが装着された空気清浄機には、ケースの内部に集塵フィルタと送風ファンが設置され、集塵フィルタを通して空気からホコリを除去し、空気を浄化させるものである（例えば、特許文献１参照）。
【特許文献１】米国特許第５，７０２，５０７号明細書
【発明の開示】
【発明が解決しようとする課題】
【０００６】
しかしながら、上記のような従来の空気清浄機を一定期間使用すると、集塵フィルタの表面がホコリ粒子で覆われて塞がってしまい、送風量が大幅に減少し、且つ、騒音が増加するため、周期的に集塵フィルタを取り外してホコリを除去しなければならないという不便さがあった。しかも、このようなホコリ除去作業を周期的に行わないと集塵フィルタの短寿命化につながるという問題があった。
【０００７】
特に、上記のような従来の空気清浄機は、集塵フィルタの表面に生じる静電気力によってホコリ粒子が集塵フィルタからよく落ちず、ホコリ除去作業が非常に難しくなり、しかも、一部のホコリ粒子は集塵フィルタの表面に付着して落ちなくなるため、集塵フィルタの集塵性能が劣化し、送風ファンの負荷が大きく増加してしまうという問題があった。
【０００８】
本発明は上記の問題点を解決するためのもので、その目的は、集塵フィルタを取り外すことなく集塵フィルタの表面についているホコリを簡便で速かに除去できるようにした空気清浄機を提供することである。
【０００９】
本発明の他の目的は、集塵フィルタの表面に静電気力が発生するのを防止することによって、ホコリが集塵フィルタから容易に落ちるようにした空気清浄機を提供することである。
【課題を解決するための手段】
【００１０】
上記目的を達成する本発明は、集塵フィルタと、前記集塵フィルタに隣接して配置され、振動時にその振動を前記集塵フィルタに伝達する振動部材と、前記振動部材に装着され、該振動部材を振動させて前記集塵フィルタに付着するホコリを除去するように構成された振動モーターアセンブリと、を備えたハウジングで構成された空気清浄機を提供する。
【００１１】
前記集塵フィルタは、前記ハウジング内においてその上端が下端に比べて前記ハウジングの前面に近接するように鉛直から所定角度傾斜して設置されることを特徴とする。
【００１２】
好ましくは、前記集塵フィルタは、前記ハウジング内に約１０〜４５°の傾斜角度で設置される。
【００１３】
前記空気清浄機は、前記集塵フィルタの下部に隣接して配置され、前記振動部材の振動により前記集塵フィルタが震える際に該集塵フィルタから落ちるホコリを受けるトレイをさらに備えることを特徴とする。
【００１４】
前記トレイは、前記集塵フィルタの下端部に向かって延在し、該トレイに集まっているホコリが飛散して再び集塵フィルタに付着するのを防止する後面板を有する。
【００１５】
前記集塵フィルタの表面は、静電気力が発生しないようにコーティング処理される。
【００１６】
前記集塵フィルタの表面は、テフロン（登録商標）粉末または金属粉末でコーティングされる。
【００１７】
また、上記目的を達成するために、ハウジング内においてその上端が下端に比べて前記ハウジングの前面に近接するように鉛直から所定角度傾斜して設置される集塵フィルタが提供される。また、前記ハウジングは、前記集塵フィルタの下端部に隣接して配置され、前記集塵フィルタから落ちるホコリを受けるトレイを備える。
【００１８】
また、上記目的を達成するために、外側面にスロットが形成されたハウジングと、前記スロットを通じてハウジングに挿入または取り外されるように構成され、前記ハウジングへの挿入時に、該ハウジング内において上端が下端に比べて前記ハウジングの前面に近接するように鉛直から所定角度傾斜して配置される集塵フィルタと、を備えるシステムが提供される。また、該システムは、前記集塵フィルタが前記ハウジングに挿入されたときに該集塵フィルタと隣接するように前記ハウジング内に配置され、振動により前記集塵フィルタについているホコリを除去するように構成された振動ユニットを備える。
【発明の効果】
【００１９】
本発明による空気清浄機は、集塵フィルタの背面に近接して設置された振動モーターを一定周期に作動させて振動部材と集塵フィルタを振動させることによって集塵フィルタに付着するホコリと異物を簡便で速かに除去できるようにしたため、集塵フィルタを取り外して手動でホコリ除去作業を行わないですむ。その結果、周期的な自動ホコリ除去作業（使用者による手動操作により、または自動で所定時間間隔で振動モーターが駆動されることによる）により集塵フィルタの集塵性能は向上し、集塵フィルタによる流動抵抗は減少して全体的な空気浄化能力が向上すると同時に、静粛運転が可能になる。
【００２０】
また、本発明による空気清浄機は、集塵フィルタがハウジングの内部で一定角度で傾斜して配置され、その表面に静電気力が生じないようにしたため、ホコリ除去作業がより迅速で効率よくでき、集塵フィルタの長寿命化が図られる。
【発明を実施するための最良の形態】
【００２１】
以下、添付図面に基づき、本発明の好適な実施形態について詳細に説明する。
【００２２】
図１は、集塵フィルタが傾斜して配置された本発明の一実施形態による空気清浄機を示す正面斜視図であり、図２は、集塵フィルタ２０の後部に振動部材５０と振動モーターアセンブリ６０が配置された図１の空気清浄機を示す縦断面図であり、図３は、図２に示す振動部材５０と振動モーターアセンブリ６０の斜視図である。ただし、以下の説明では、参照符号１０を空気清浄機と該空気清浄機の箱状のハウジングに共通使用するものとする。
【００２３】
図１乃至図３に示すように、本発明による空気清浄機１０は、外観を形成する箱状のハウジング１０と、ハウジング１０の内部に設置され、空気中のホコリと異物を除去して空気を清浄に浄化する集塵フィルタ２０と、ハウジング１０の内部で集塵フィルタ２０の後方に設置され、空気を強制送風させる送風ファン４０と、集塵フィルタ２０の背面に隣接して（すなわち、ファン４０に対面する集塵フィルタ２０側に）設置される振動部材５０と、振動部材５０に結合して振動部材５０を振動させる振動モーターアセンブリ６０と、を備えて構成される。
【００２４】
また、空気中の臭いを除去すべく、集塵フィルタ２０と送風ファン４０との間には脱臭フィルタ３０がさらに設置される。もちろん、本発明による空気清浄機１０は、脱臭フィルタ３０の他に、殺菌及び坑菌のような機能を遂行する他のフィルタをさらに設置しても良い。
【００２５】
ハウジング１０の前面（すなわち、ファン４０が装着される面に対向する面）には、室内空気をハウジング１０の内部に流入させるための多数の空気流入穴１１が形成されており、ハウジング１０の上面には、浄化された空気を室内に排出するための多数の空気流出穴１２が形成される。
【００２６】
もちろん、空気流入穴１１と空気流出穴１２は、ハウジング１０の内部において集塵フィルタ２０、脱臭フィルタ３０及び送風ファン４０が配置される構造に応じてハウジング１０の他の箇所に形成しても良い。
【００２７】
ハウジング１０の一側面には、集塵フィルタ２０と脱臭フィルタ３０をハウジング１０に挿入または取り外すためのスロット１３が形成されており、ハウジング１０内の上部と下部には、集塵フィルタ２０と脱臭フィルタ３０をハウジング１０にスライド方式で着脱可能にするためのスライド溝１４が形成される。また、脱臭フィルタ３０以外のフィルタ（例えば、殺菌フィルタ）が、該当するスロットを通ってハウジングに挿入または取り外すこともできる。また、ハウジング１０は、脱臭フィルタ３０を含めて他のフィルタを収容するための２つ以上のスロットを有することも可能である。
【００２８】
送風ファン４０は、シロッコファンのように複数の羽根が半径方向に配列された遠心ファンで構成され、駆動モーター４１により高速回転することによって、室内空気をハウジング１０の内部を通して強制循環させる。
【００２９】
集塵フィルタ２０は、長方形のフレーム２１と、このフレーム２１の内部にはめ込まれてホコリを捕集するフィルタ部２２と、で構成される。フレーム２１の上端と下端には、ハウジング１０のスライド溝１４にかみ合って滑り移動をガイドするスライド突起２３が形成される。
【００３０】
具体的には図示していないが、フィルタ部２２は、例えば、フィルタ２０の掃除時などに交換をしやすくすべくフレーム２１に着脱自在に結合され、微細なホコリ粒子が通過するのを防ぐべく数多くの微細孔が形成された多孔質の材料からなる。
【００３１】
また、フィルタ部２２は、表面に発生する静電気力によってホコリ粒子が付着してよく落ちないのを防止するために、その表面を適宜にコーティング処理することができる。このようなコーティング処理の一例には、表面にテフロン（登録商標）粉末を塗布したり金属粉末を塗布して静電気力の発生を防止する方法がある。このようにフィルタ部２２の全面にコーティング処理をし、フィルタ部２２の表面に静電気力が発生するのを防止することによって、フィルタ部２２表面のホコリを容易に除去可能になる。
【００３２】
このような集塵フィルタ２０は、ハウジング１０に内蔵された状態で後述する振動部材５０が振動する際に集塵フィルタ２０の表面に付着したホコリがこの表面に沿って流れ落ちず、直ちにハウジング１０の底に落ちるようにするために、上端が下端に比べてハウジング１０の前面に近接するように鉛直から“θ”度傾斜して配置される。
【００３３】
この集塵フィルタ２０の傾斜角度θが大きすぎると、ハウジング１０の内部空間を過大に占めることになり、傾斜角度θが小さすぎるとホコリ粒子の落下が容易にならない。したがって、集塵フィルタ２０の傾斜角度θは、１０〜４５度の範囲とすることが望ましい。
【００３４】
このような集塵フィルタ２０の下部には、上部が開放されており、横長い箱状のトレイ２５が配置され、これは、集塵フィルタ２０から落ちるホコリ粒子と異物を受ける機能を担う。トレイ２５は、集まったホコリ粒子が送風ファン４０の吸入力によりトレイ２５から上方に飛散して再び集塵フィルタ２０の表面に付着するのを防止するために、後面板２７が前面板２６よりも上向きに長く形成された構造を有し、その結果、後面板２７が集塵フィルタ２０のフィルタ部２２の下端部を少し覆うようになる。
【００３５】
このようなトレイ２５の構造から、送風ファン４０の作動によって集塵フィルタ２０の前面に相当な空気の吸入力が発生しても、トレイ２５に集まっているホコリがトレイ２５の内部から上方に飛散し再び集塵フィルタ２０のフィルタ部２２に付着することが生じなくなる。
【００３６】
振動部材５０は、厚さの薄い弾性格子状の板からなるもので、その上端５１と下端５２がハウジング１０の上部と下部に、それぞれ、ねじ止めされ、また、集塵フィルタ２０の背面（すなわち、送風ファン４０に対面する面）に極めて近接して配置され、これにより、振動部材５０の振動が集塵フィルタ２０の背面に伝達される。振動部材５０は、弾性力の大きなプラスチック材料からなり、振動部材５０の背面を打って振動を発生させるように作動する振動モーターアセンブリ６０により振動する。振動部材５０は、その振動時に集塵フィルタ２０の背面に周期的で物理的に接触しながら振動を伝達する。
【００３７】
図４は、図３に示す振動モーターアセンブリ６０の内部構造を示す斜視図である。図４に示すように、振動モーターアセンブリ６０は、その上部と下部（図４では上部のみ示されている）が振動部材５０の格子に金属紐６６で強固に固定されるケース６１と、ケース６１内に装着された振動モーター６３と、ケース６１を閉じるカバー６２と、を備えてなる。
【００３８】
振動モーター６３は、ケース６１の内部に設けられたシート部６１ａに挟み込まれて固定される固定子６４と、固定子６４の内部に回転自在に配置される回転子（図示せず）と、回転子に連結されて回転子と共に回転する偏心軸６５と、からなり、回転子の回転による偏心軸６５の偏心回転運動により振動が発生し、ケース６１及びカバー６２も同時に振動するようになる。
【００３９】
このように偏心軸６５の偏心回転によりケース６１とカバー６２が高周波数で振動すると、図３において二点鎖線で表すように、ケース６１が結合される弾性材料の振動部材５０が前後方向に（往復運動方式で）振動する。
【００４０】
したがって、上記の振動構造または配置（例えば、振動部材５０及びこれに結合される振動モーターアセンブリ６０）により、空気清浄機を一定時間使用し、集塵フィルタ２０にホコリが多く積もる場合、振動モーター６３の作動でホコリを除去することが可能になるのである。すなわち、例えば、ハウジング１０に設けられた作動スイッチ(図示せず)の使用者操作により、またはプログラムされたタイマー作動によって自動で振動モーター６３が作動すると、振動モーター６３がケース６１及びカバー６２と共に高い周波数で振動し、この振動が高い周波数で集塵フィルタ２０のフィルタ部２２に伝達される。
【００４１】
こうして集塵フィルタ２０のフィルタ部２２が高周波数で振動すると、フィルタ部２２についているホコリ粒子と異物が下方に落下しトレイ２５に集まるようになる。この場合、本発明による集塵フィルタ２０は、上端（図２ではトレイ２５の上あたりを飛んでいる末端）がトレイ２５側に偏るように傾斜して配置され、フィルタ部２２に静電気力が生じないような構造となっているため、ホコリ粒子がフィルタ部２２から一層迅速で効率よく落ちるようになる。
【図面の簡単な説明】
【００４２】
【図１】本発明の一実施形態による、集塵フィルタが傾斜して配置された空気清浄機を示す正面斜視図である。
【図２】集塵フィルタの後部に振動部材と振動モーターアセンブリが配置された図１の空気清浄機を示す縦断面図である。
【図３】図２に示す振動部材と振動モーターアセンブリの斜視図である。
【図４】図３に示す振動モーターアセンブリの内部構造を示す斜視図である。
【符号の説明】
【００４３】
１０  空気清浄機、ハウジング
１１  空気流入穴
１２  空気流出穴
１３  スロット
１４  スライド溝
２０  集塵フィルタ
２１  フレーム
２２  フィルタ部
２３  スライド突起
２５  トレイ
２６  前面板
２７  後面板
３０  脱臭フィルタ
４０  ファン
４１  駆動モーター
５０  上端
５２  下端
６０  振動モーターアセンブリ
６１  ケース
６１ａ  シート部
６２  カバー
６３  振動モーター
６４  固定子
６５  偏心軸
６６  金属紐
【図１】
2007007637.tif 000003
【図２】
2007007637.tif 000004
【図３】
2007007637.tif 000005
【図４】
2007007637.tif 000006